(57)【要約】【課題】  岩盤浴入浴施設を街中ではなく、駐車場の広い、しかも集まる人口の多い所に設置することを考え、道の駅や高速道路のパーキングエリア内に設置することを思いつきトレーラーハウスを岩盤浴施設に改造して、移動して設置する。【解決手段】  Ａ棟・Ｂ棟２台のトレーラーハウスのＡ棟には岩盤浴床を列設して装置し、Ｂ棟には付随する施設、即ち更衣室・シャワー・ロッカー・休憩室・フロントを設備し、この２棟のトレーラーハウスにそれぞれ通路を設け、この通路によってＡ・Ｂ２棟を接合して岩盤浴施設を完成し、希望する道の駅やパーキングスペースに設置する。【選択図】図１
0003128748.tif 000002
【実用新案登録請求の範囲】
【請求項１】
２棟のトレーラーハウスＡ，Ｂからなり、トレーラーハウスＡには岩盤浴床を列設し、該岩盤浴床群に隣接して洗面・トイレを設けること、
トレーラーハウスＢには男女別用のシャワー室と兼用する更衣室及び休憩室、フロントを設け、該２棟のトレーラーハウスＡ，Ｂを通路部を接してＬ字型に接続して設置し、トレーラーハウス内にも通路を設けてトレーラーハウスＡ，Ｂ間を連通させること、
該２棟のＬ字型に配置されたトレーラーハウスＢ棟に入口フロアー及びテラスを別に併設することを特徴とした移動可能な入浴施設。
【考案の詳細な説明】
【技術分野】
【０００１】  本考案は、岩盤浴用の入浴施設であって、Ａ−Ｂ２棟のトレーラーハウスからなり、駐車場の広い道の駅や高速道路のサービスエリア等に配置して営業利用する移動可能な入浴施設に関する。
【背景技術】
【０００２】  一般にトレーラーハウスには普通の家庭と同様な生活設備が設けられていて自動車等に牽引され、各キャンプ地に移動できるのが普通である。【０００３】  一方岩盤浴とは温められた岩盤の上に専用の浴衣等を着て熱した岩盤上に横になって温浴を楽しむものであって、一般には建物の中に一人寝用の岩盤を列べた入浴床と、汗を流すシャワー室、休憩室、トイレ、化粧室、ロッカー室、受付カウンター等を設備した入浴施設が普通である。
【特許文献１】  特許第３７７８８８５号公報
【考案の開示】
【考案が解決しようとする課題】
【０００４】  岩盤浴は湯のないお風呂と云われていて４０℃〜４５℃に温められた石盤の上に専用の浴衣等を着て横になって温浴を楽しむものでサウナ風呂と違う形式の温浴であって、石から発せられるミネラル成分や遠赤外線によって汗をかき、体内の新陳代謝が図られるもので、最近では美容と健康の維持や治癒力の促進の点で人気があり、都会の中心地でも銭湯に代る施設として各所に開設されている。しかし都会では駐車場等が少なく又郊外では利用人口が少ないという難点があった。
【課題を解決するための手段】
【０００５】  考案者はこの点に鑑み、トレーラーハウスに岩盤浴施設を設け、このトレーラーハウスを道の駅や高速道路のパーキングエリアのような駐車場の広い、しかも集人口の多い場所に移動設置することによって前記諸問題を解決するものである。【０００６】  岩盤浴施設は、岩盤浴床と更衣室、汗を流すためのシャワー室、休憩室、トイレ等の付随設備を設けるためＡ，Ｂ２棟のトレーラーハウスが必要となる。【０００７】  即ちトレーラーハウスＡには岩盤浴床を列設し、この岩盤浴床に隣接して洗面・トイレを設けること、トレーラーハウスＢには男女別用のシャワー室（ＳＷ）と兼用する更衣室及び休憩室、フロントを設けること、そしてこの２棟のトレーラーハウスＡ，ＢをＬ字型に接続し、このトレーラーハウス内に通路を設けることによってトレーラーハウスＡ，Ｂ間を連通させることで街中に設けた岩盤浴施設と同じような設備の整った岩盤浴施設を希望する場所に輸送して配置することによって前記駐車場や集人口の諸問題を解決することができる。
【考案の効果】
【０００８】  上述したように、本考案の移動可能な岩盤浴施設は、２棟のトレーラーハウスＡ・Ｂによって施設の希望がある全国の道の駅やサービスエリアに移動して設置することができる。このような道の駅やサービスエリアは、広い駐車場と上水道・下水道の便利が良く、僅かの工事で、水回りに対しての準備が可能となる。【０００９】  しかも集まる人口が多く、この場所を選ぶことにより利用者が増えることは確実である。このため岩盤浴施設の人気は広く、知られているためこの利用効果は特に著しく顕著である。
【考案を実施するための最良の形態】
【００１０】  添付図面により本考案を実施するための最良の形態を説明すると、本考案は、図２に示されているようなＡ，Ｂ２棟のトレーラーハウスから構成されていて、この２棟のトレーラーハウスＡ，Ｂを設置する場所に図１に示されているようにＬ字型に接続配置して牽引して来たトレーラー牽引車Ｄを離す。【００１１】  そしてトレーラーハウス内を整え配電・給排水、ボイラー等も整える。又図示はしていないが、設置後下部に視えている車輪は不自然のためこれを隠すように土台に見立てて煉瓦模様や木目模様の画かれた外壁板によってスカート部分を形成して外観を美しくすることが好ましい。
【実施例】
【００１２】  Ａ棟について、図２を参照してこのＡ棟は主に岩盤浴床（１）を設ける。図示してあるようにＡ棟の片側には通路を設け、この通路に沿って岩盤浴床が（１−１）〜（１−６）まで列設されていて、通路の最奥に（１−７），（１−８），（１−９）と３床あって、合計９床の岩盤浴床が設けられている。【００１３】  浴床（１）は図３の平面図で示す。浴床（１）の中央には岩盤Ｓが配置され、この岩盤Ｓは４０℃〜４５℃に温められて利用者は、この岩盤Ｓの上に通路あるいは壁に枕を置いて横になって温浴を楽しんでいる。そして、この浴床（１）は左右に簡単な仕切板（２０）を設けて区画されている。通路奥の浴床（１−７），（１−８），（１−９）は３床が区画なく配置されていて家庭用又はグループ用の使用に適していて、前記浴床とは低い壁で仕切られ、この外側に万一の場合に備えて非常口（１７）を設ける。【００１４】  Ｂ棟は図２を参照して、主に岩盤浴施設に必要な付随設備が設けてある。即ち休憩室（５），男子用シャワー室ＳＷ、女子用シャワー室ＳＷ更に受付カウンターのあるフロント（８）が設けられていて、通路によってそれぞれ連通している。そして休憩室（５）にはソファーやテーブルがあり、飲み物の自動販売機やＴＶが設置してあって、Ａ棟の浴床（１）で熱せられた身体は水分を取りながら十分休ますことができ、再び浴床に戻ることができる。この温浴を繰返すことによって岩盤浴の効果を受けることができる。【００１５】  男子シャワー室（６）、女子シャワー室（７）は区切られていて共に更衣室であり、ここで専用の浴衣と私服とに着替える。この更衣室にはシャワーＳＷ、化粧台、ロッカーを備えている。この更衣室に続いてフロント（８）があって、カウンターを設けて受付係員を配しておく。そして利用者は受付と同時に専用の浴衣とタオルを受け取る。【００１６】  本考案は図２に示されているように２棟のトレーラーハウスＡ，Ｂにより構成されていて、図示においてＡ棟はトレーラーＤに、Ｂ棟はトレーラーＤに牽引される。この２棟のトレーラーハウスは目的地、例えば高速自動車道のパーキングエリアに到着したとき、図１に示されるようにＡ棟・Ｂ棟が各棟の通路を接するようにＬ字型に接続して設置する。そしてＡ棟の通路とＢ棟の通路を接合してＡ・Ｂ棟内は連続できる。このＡ棟の通路の接合部には岩盤浴入口ドア（４）を設けて無駄な温度の低下を防ぎ、Ａ・Ｂ棟それぞれの通路を接合して人通りができるように構成する。【００１７】  図１のように構成された２棟のトレーラーハウスの利用者は、フロント（８）に入り受付を済ませる。このフロントで専用の浴衣を受取り、男女別の更衣室（６），（７）に入り並んでいるロッカーの前で専用の浴衣に着替え通路のドアー（４）を開けて、岩盤浴スペース（１）に入り、フロントで指示された所定番号の岩盤床に着く、そして１０〜１５分後汗ダラダラの身体を起して休憩室（５）に入りペットボトルに入ったミネラル水を飲み、十分な休憩をとり再び岩盤浴床に戻って温浴を楽しみ、このような動作を数回繰返すことによって岩盤浴効果が現れる。【００１８】  図１に示されている本考案の完成された岩盤浴施設には、２棟のトレーラーハウスＡ・ＢをＬ字型に接続���て配置し、このＢ棟のフロント側に石段を設けた入口フロアー（２２）とテラス（２１）を別に設けてあって、岩盤浴施設が構成されている。なお、図４はトレーラーに牽引されたトレーラーハウスの実施例であるが、ハウス自体はカマボコ型でもよく、また牽引車もこの型式に限ることはない。【００１９】  本考案は２棟のトレーラーハウスによって施設を形成しているが、本考案のように９床の岩盤浴床を半数にして休憩室を更衣室と兼用して除き、フロントを小さくすればトレーラーハウスは１棟で構成することも可能である。
【産業上の利用可能性】
【００２０】  上述のように本考案の移動可能な入浴施設は、岩盤浴を利用した入浴施設をトレーラーハウスとし、これを牽引車によって移動可能とし、希望する道の駅やサービスエリア等に設置することができるため、ここに集まる長距離を移動して来ている旅行者やドライバーが休憩を利用して、本考案の入浴施設を利用することにより旅の疲れを癒すことができ、心身爽快となって旅の安全と心の安心を受けることができ、この利用度は大きい。
【図面の簡単な説明】
【００２１】
【図１】  本考案の岩盤浴施設の平面図
【図２】  トレーラーハウスＡ，Ｂの平面図
【図３】  岩盤浴床の実施例図
【図４】  トレーラーハウスＡ，Ｂの形態を示す実施例図
【符号の説明】
【００２２】  （１）…岩盤浴床スペース
（２）…トイレ
（３）…洗面
（４）…岩盤浴入口ドアー
（５）…休憩室
（６）…男子用更衣室
（７）…女子用更衣室
（８）…フロント
（１１）…自動販売機
（１２）…ＴＶ
（１３）…入口ドアー
（１４）…柵
（１７）…非常口
Ｄ…牽引自動車
【図１】
0003128748.tif 000003
【図２】
0003128748.tif 000004
【図３】
0003128748.tif 000005
【図４】
0003128748.tif 000006